(57)【要約】【課題】コンピュータディスプレイ電源管理信号検出回路の提供。【解決手段】本発明の回路中、アドレスデコード回路はアドレスデコードを行う。第１計数器のクロックパルス入力端は、ディスプレイの水平走査信号に連接され、第２計数器のクロックパルス入力端はディスプレイの垂直走査信号に連接される。出力ポートはコンピュータシステムのバス信号中の入出力装置読み取り信号により制御され、並びにリセット信号を発生して第１計数器及び第２計数器のクリア端に伝送する。入力ポートはコンピュータシステムのバス信号中の入出力装置書き込み信号により制御され、入力ポートがアドレス選択され、且つ入出力装置書き込み信号の許可を受ける時、第１計数器の出力端の送る水平走査信号と第２計数器の出力端の送る垂直走査信号を受け取り出力値を計数する。【選択図】        図２
2004157249.tif 000002
【特許請求の範囲】
【請求項１】
コンピュータディスプレイ電源管理信号検出回路において、該コンピュータディスプレイ電源管理信号検出回路はコンピュータシステム中のディスプレイの水平走査信号と垂直走査信号の状態を検出するのに用いられ、該ディスプレイが、画像コントロールインタフェースを介してコンピュータシステムのＰＣＩ／ＩＳＡバスに連接され、このディスプレイ電源管理信号検出回路が、
アドレスデコード回路とされ、コンピュータシステムのバスアドレス線に連接されてアドレスのデコードを行うと共に出力ポートアドレス信号と入力ポートアドレス信号を発生する、上記アドレスデコード回路と、
第１計数器とされ、そのクロックパルス入力端が該ディスプレイの水平走査信号に連接されて、該水平走査信号に対して計数する、上記第１計数器と、
第２計数器とされ、そのクロックパルス入力端が該ディスプレイの垂直走査信号に連接されて、該垂直走査信号に対して計数する、上記第２計数器と、
出力ポートとされ、アドレスデコード回路の発生した出力ポートアドレス信号よりアドレスを選択し、該出力ポートはまたコンピュータシステムのバス信号中の入出力装置読み取り信号により制御される、上記出力ポートと、
入力ポートとされ、アドレスデコード回路の発生した入力ポートアドレス信号よりアドレスを選択し、該入力ポートはまたコンピュータシステムのバス信号中の入出力装置書き込み信号により制御され、該入力ポートがアドレス選択され、且つ入出力装置書き込み信号の許可を受ける時、第１計数器の出力端より送られた水平走査信号計数出力値と、第２計数器の出力端より送られた垂直走査信号計数出力値を受け取る、上記入力ポートと、
を具えたことを特徴とする、コンピュータディスプレイ電源管理信号検出回路。
【請求項２】
請求項１に記載のコンピュータディスプレイ電源管理信号検出回路において、水平走査信号がオフとされ、垂直走査信号がオンとされる時、ディスプレイが待機モードにあることを示し、垂直走査信号がオフとされ、水平走査信号がオンとされる時、ディスプレイが節電モードにあることを示すことを特徴とする、コンピュータディスプレイ電源管理信号検出回路。
【請求項３】
請求項１に記載のコンピュータディスプレイ電源管理信号検出回路において、出力ポートがリセット信号出力端を具え、該出力ポートがアドレス選択され、且つ入出力装置読み取り信号の許可を受ける時、リセット信号を発生して第１計数器と第２計数器のクリア端に伝送し、第１計数器と第２計数器の内部計数値をクリアすることを特徴とする、コンピュータディスプレイ電源管理信号検出回路。
【発明の詳細な説明】
【０００１】
【発明の属する技術分野】
本発明は一種のコンピュータディスプレイ電源管理信号検出回路に係り、特に、ディスプレイの水平走査信号及び垂直走査信号を検出してコンピュータディスプレイの節電作業モードを知る検出回路に関する。
【０００２】
【従来の技術】
ディスプレイはコンピュータシステム中、重要な出力装置の一つであり、使用者はディスプレイの表示内容により、正確に該コンピュータを操作できると共に、コンピュータの出力内容を取得することができる。しかし、消費電力に関しては、ディスプレイは全体のコンピュータシステム中、極めて大きな比率の電気エネルギーを消耗し、このため現在一般に使用されているコンピュータシステムにあって、節電の機能を達成するために、ほとんどのコンピュータ設計において、電源管理の技術が採用され、使用者がコンピュータシステムを使用しない時は、電源管理の技術により、節電の機能が達成される。
【０００３】
節電機能を達成するため、コンピュータシステム自身の装置設備、例えば、ハードディスク、ＣＰＵの節電機能から着手することも、或いはディスプレイの節電機能から着手することもできる。ディスプレイをいつ節電モードで操作し、及びいつ待機モードで操作するかを制御するため、ディスプレイのディスプレイインタフェース制御カードには、ディスプレイ電源管理システム（ＤｉｓｐｌａｙＰｏｗｅｒ  Ｍａｎａｇｅｍｅｎｔ  Ｓｉｇｎａｌｉｎｇ；ＤＰＭＳ）が増設されている。このような節電制御機能を具えたコンピュータディスプレイは一般に環境保護節電型ディスプレイと称される。
【０００４】
現在市場にあるディスプレイ電源管理システムＤＰＭＳ規格を具えた環境保護節電型ディスプレイは、使用者が設定する時間によりディスプレイスクリーンの画面状態及び画像操作信号のオンオフを制御できる。例えば、ＶＥＳＡ  ＤＰＭＳの規格は、コンピュータ画像ディスプレイインタフェースカードとスクリーンに対して電源管理規格の標準規範が提供され、この規格が現在、多くのディスプレイカード、ディスプレイメーカーにより遵守されている。
【０００５】
ディスプレイの電源管理規格標準中、水平走査信号ＨＳＹＮＣと垂直走査信号ＶＳＹＮＣはディスプレイの電源管理の制御信号として用いられ、その四つのモード下の状態は以下の表１のように定義されている。
【表１】
2004157249.tif 000003
【０００６】
すなわち、環境保護節電型ディスプレイ及びディスプレイインタフェース中、もしオンモード下で、該ディスプレイの水平走査信号（ＨＳＹＮＣ）と垂直走査信号（ＶＳＹＮＣ）が正常な操作状態にあれば、ディスプレイに文字或いは画像を表示できる。もし待機モードにあれば、水平走査信号がオフとされ、垂直走査信号だけが保留される。節電モードでは、垂直走査信号がオフとされ、水平走査信号だけが保留される。オフモードでは、その水平走査信号及び垂直走査信号がいずれもオフとされる。使用者はその必要により、該環境保護節電型ディスプレイのモード切り換えタイミングを設定できる。
【０００７】
使用者はディスプレイスクリーンの状態により該ディスプレイが待機モードにあるか或いは節電モードにあるかを知ることができるが、ディスプレイ或いはディスプレイインタフェースカードのメーカー或いはサービス業者にとっては、そのエンジニア、品質管理員、修理員が水平走査信号及び垂直走査信号がディスプレイの電源管理操作中に正確に動作するか否かを検出しなければならず、これには通常、示波器による各関係の信号状態測定が利用される。しかしこのような伝統的な測定方式は、示波器の信号プローブを実際に水平走査信号と垂直走査信号の正確な接点に接触させなければならず、ゆえに産業上の需要に符合せず、特に生産ラインの量産作業時の試験要求には不適合である。
【０００８】
【発明が解決しようとする課題】
本発明の主要な目的は、コンピュータディスプレイ電源管理信号検出回路を提供することにあり、それは簡単な検出回路構造を透過し、快速に該ディスプレイの電源管理信号の状態を測定できるものとする。
【０００９】
本発明のもう一つの目的は、ディスプレイの水平走査信号と垂直走査信号を測定することにより、コンピュータディスプレイの作業がどの作業モードにあるかを知ることができるコンピュータディスプレイ電源管理信号検出回路を提供することにあり、該検出回路は二つの計数回路を具え、そのクロックパルス入力端がそれぞれディスプレイの水平走査信号と垂直走査信号に連接され、本発明の検出回路を透過し、該水平走査信号と垂直走査信号の状態を測定でき、伝統的な示波器による測定に頼る必要がないものとする。
【００１０】
【課題を解決するための手段】
請求項１の発明は、コンピュータディスプレイ電源管理信号検出回路において、該コンピュータディスプレイ電源管理信号検出回路はコンピュータシステム中のディスプレイの水平走査信号と垂直走査信号の状態を検出するのに用いられ、該ディスプレイが、画像コントロールインタフェースを介してコンピュータシステムのＰＣＩ／ＩＳＡバスに連接され、このディスプレイ電源管理信号検出回路が、
アドレスデコード回路とされ、コンピュータシステムのバスアドレス線に連接されてアドレスのデコードを行うと共に出力ポートアドレス信号と入力ポートアドレス信号を発生する、上記アドレスデコード回路と、
第１計数器とされ、そのクロックパルス入力端が該ディスプレイの水平走査信号に連接されて、該水平走査信号に対して計数する、上記第１計数器と、
第２計数器とされ、そのクロックパルス入力端が該ディスプレイの垂直走査信号に連接されて、該垂直走査信号に対して計数する、上記第２計数器と、
出力ポートとされ、アドレスデコード回路の発生した出力ポートアドレス信号よりアドレスを選択し、該出力ポートはまたコンピュータシステムのバス信号中の入出力装置読み取り信号により制御される、上記出力ポートと、
入力ポートとされ、アドレスデコード回路の発生した入力ポートアドレス信号よりアドレスを選択し、該入力ポートはまたコンピュータシステムのバス信号中の入出力装置書き込み信号により制御され、該入力ポートがアドレス選択され、且つ入出力装置書き込み信号の許可を受ける時、第１計数器の出力端より送られた水平走査信号計数出力値と、第２計数器の出力端より送られた垂直走査信号計数出力値を受け取る、上記入力ポートと、
を具えたことを特徴とする、コンピュータディスプレイ電源管理信号検出回路としている。
請求項２の発明は、請求項１に記載のコンピュータディスプレイ電源管理信号検出回路において、水平走査信号がオフとされ、垂直走査信号がオンとされる時、ディスプレイが待機モードにあることを示し、垂直走査信号がオフとされ、水平走査信号がオンとされる時、ディスプレイが節電モードにあることを示すことを特徴とする、コンピュータディスプレイ電源管理信号検出回路としている。
請求項３の発明は、請求項１に記載のコンピュータディスプレイ電源管理信号検出回路において、出力ポートがリセット信号出力端を具え、該出力ポートがアドレス選択され、且つ入出力装置読み取り信号の許可を受ける時、リセット信号を発生して第１計数器と第２計数器のクリア端に伝送し、第１計数器と第２計数器の内部計数値をクリアすることを特徴とする、コンピュータディスプレイ電源管理信号検出回路としている。
【００１１】
【発明の実施の形態】
本発明のコンピュータディスプレイ電源管理信号検出回路は、アドレスデコード回路、出力ポート、入力ポート、第１計数器、第２計数器を具え、該アドレスデコード回路はアドレスデコードを行う。第１計数器のクロックパルス入力端は、ディスプレイの水平走査信号に連接され、第２計数器のクロックパルス入力端はディスプレイの垂直走査信号に連接される。出力ポートはコンピュータシステムのバス信号中の入出力装置読み取り信号により制御され、並びにリセット信号を発生して第１計数器及び第２計数器のクリア端に伝送する。入力ポートはコンピュータシステムのバス信号中の入出力装置書き込み信号により制御され、入力ポートがアドレス選択され、且つ入出力装置書き込み信号の許可を受ける時、第１計数器の出力端より送られた水平走査信号を受け取って出力値を計数すると共に、第２計数器の出力端より送られた垂直走査信号を受け取り出力値を計数する。この検出回路により、水平走査信号と垂直走査信号のオン又はオフの状態を知ることができる。
【００１２】
【実施例】
図１はＰＣＩ或いはＩＳＡバスを具えた典型的なパーソナルコンピュータシステムの簡略表示図であり、そのシステム構造中、ＣＰＵ１０は、システムローカルバス２０を透過してメインメモリ１１に連接され、該システムローカルバス２０はアドレスバス２１、データバス２２、コントロールバス２３を具えている。該システムローカルバス２０はバスブリッジ連接器１２（Ｂｒｉｄｇｅ）を透過してＰＣＩ／ＩＳＡバス２４に連接されている。
【００１３】
画像コントロールインタフェース３はコンピュータシステムのＰＣＩ／ＩＳＡバス２４に連接されて、該コンピュータシステムが送出しディスプレイ３１に表示しようとする画像信号を受け取る。該画像コントロールインタフェース３内部にはディスプレイメモリ、画像信号処理器、ディジタルアナログ変換器等の回路部品が設けられ、該画像コントロールインタフェース３の処理により、その画像出力端が画像信号を送出し、さらに連接器、ケーブルを経由してディスプレイ３１に送られ、ディスプレイ３１上でスクリーン画素を発生する。
【００１４】
本発明の構造中、ディスプレイ電源管理信号検出回路４が提供され、その入力端はディスプレイ３１の水平走査信号ＨＳＹＮＣＴＯ垂直走査信号ＶＳＹＮＣＷＯ受け取る。前述したように、ディスプレイ電源管理システムＤＰＭＳ規格を具えたディスプレイにあって、水平走査信号ＨＳＹＮＣと垂直走査信号ＶＳＹＮＣはディスプレイの電源管理の制御信号として用いられる。該ディスプレイ電源管理信号検出回路４の出力端は、バスインタフェース論理回路５を介してＰＣＩ／ＩＳＡバス２４に連接されている。
【００１５】
図２は本発明のディスプレイ電源管理信号検出回路４の好ましい実施例の電気回路図である。この回路は、アドレスデコード回路４１、出力ポート４２、入力ポート４３、第１計数器４４、第２計数器４５を具えている。そのうち、アドレスデコード回路４１はバスインタフェース論理回路５のアドレス線Ａｄｄｒに連接されてアドレスデコードに用いられる。該アドレスデコード回路４１のデコードにより、出力ポートアドレス信号４１ａと、入力ポートアドレス信号４１ｂが発生し、それぞれ該出力ポート４２或いは入力ポート４３のアドレスを選択するのに用いられる。該バスインタフェース論理回路５の機能は、ＰＣＩ／ＩＳＡバス２４と本発明のディスプレイ電源管理信号検出回路４間のインタフェース信号とされることにある。
【００１６】
該出力ポート４２は別に入出力装置読み取り信号ＩＯＲ＃の信号制御を受け、該入出力装置読み取り信号ＩＯＲ＃は低電位起動の出力信号線であり、起動時には、コンピュータシステム中のバスコントローラがちょうど入出力装置（Ｉ／Ｏ）中よりデータを読み取っていることを示す。入力ポート４３は入出力装置書き込み信号ＩＯＷ＃の信号制御を受け、この入出力装置書き込み信号ＩＯＷ＃は低電位起動の出力信号線で、起動時には、コンピュータシステム中のバスコントローラがちょうどデータを入出力装置（Ｉ／Ｏ）に書き込んでいることを示す。
【００１７】
第１計数器４４及び第２計数器４５の計数出力端４４ａ、４５ａはそれぞれ入力ポート４３に連接されている。第１計数器４４のクロックパルス入力端ＣＬＫは水平走査信号ＨＳＹＮＣに連接され、水平走査信号ＨＳＹＮＣがローからハイ状態に変わる度に、第１計数器４４が一回計数する。第２計数器４５のクロックパルス入力端ＣＬＫは垂直走査信号ＶＳＹＮＣに連接し、垂直走査信号ＶＳＹＮＣがローからハイ状態に変わる度に、第２計数器４５が一回計数する。
【００１８】
アドレスデコード回路４１が出力ポート４２にアドレス指定し、且つ入出力装置書き込み信号ＩＯＷ＃が低電位の時、即ち出力ポート４２にデータが書き込まれることを示す時、該出力ポート４２のリセット信号出力端がリセット信号ＲＳＴ＃をそれぞれ第１計数器４４と第２計数器４５のクリア端ＣＬＲ＃に送り、これにより第１計数器４４、第２計数器４５の内部計数値をクリアする。
【００１９】
アドレスデコード回路４１が入力ポート４３にアドレス指定し、且つ入出力装置読み取り信号ＩＯＲ＃が低電位の時、即ち、出力ポート４２よりデータが読み取られることを示す時、該第１計数器４４と第２計数器４５の水平走査信号計数出力値及び垂直走査信号計数出力値が読み取られる。該入力ポート４３の読み取ったデータが０の時は、走査信号がない（Ｉｎａｃｔｉｖｅ）であることを表示し、入力ポート４３の読み取ったデータが１の時には、走査信号がある（Ａｃｔｉｖｅ）ことを表示する。こうして該水平走査信号ＨＳＹＮＣと垂直走査信号ＶＳＹＮＣの状態を検出し、並びに該ディスプレイの電源管理信号が正常であるか否かを検出する。
【００２０】
【発明の効果】
総合すると、本発明の提供するコンピュータディスプレイ電源管理信号検出回路は、速やかにコンピュータディスプレイの水平走査信号ＨＳＹＮＣ及び垂直走査信号ＶＳＹＮＣの状態を検出でき、これにより該ディスプレイが異なる作業モードで走査される時、該水平走査信号ＨＳＹＮＣと垂直走査信号ＶＳＹＮＣが正確に発生するかを確認でき、特に製造生産ラインの検査要求に適用され、ゆえに確実に高度の産業上の利用価値を有し、且つその出願前に同一或いは類似の技術は公開されておらず、特許の要件に符合する。
【図面の簡単な説明】
【図１】本発明のディスプレイ電源管理信号検出回路を具えたパーソナルコンピュータシステム構造表示図である。
【図２】本発明のディスプレイ電源管理信号検出回路の実施例電気回路図である。
【符号の説明】
１０  ＣＰＵ
１１  メインメモリ
１２  バスブリッジ連接器
２０  システムローカルバス
２１  アドレスバス
２２  データバス
２３  コントロールバス
２４  ＰＣＩ／ＩＳＡバス
３  画像コントロールインタフェース
３１  ディスプレイ
４  ディスプレイ電源管理信号検出回路
４１  アドレスデコード回路
４１ａ  出力ポートアドレス信号
４１ｂ  入力ポートアドレス信号
４２  出力ポート
４３  入力ポート
４４  第１計数器
４４ａ  計数出力端
４５  第２計数器
４５ａ  計数出力端
５  バスインタフェース論理回路
【図１】
2004157249.tif 000004
【図２】
2004157249.tif 000005